(57)【要約】【課題】シリンダブロックへ装着する際の作業性を向上させつつ、同シリンダブロックに装着した際にシリンダの冷却を好適に抑制することのできるウォータジャケット用スペーサ、及び同スペーサのシリンダブロックへの装着方法、及び同ウォータジャケット用スペーサが配設された内燃機関を提供する。【解決手段】スペーサ２０では、分割体２１，２２を互いに近接させて配置したときにこれらの内周によって形成される領域の寸法がシリンダ外周面１０ａの寸法よりも小さくなる。同スペーサ２０は、保持具２３によって分割体２１，２２の内周によって形成される領域の寸法がシリンダ外周面１０ａの寸法より大きくなるように分割体２１，２２同士を離間させた状態に保持される。また、この保持具２３は外力の付与に伴って移動し、分割体２１，２２の内周によって形成される領域の寸法がシリンダ外周面１０ａと等しくなるように分割体２１，２２同士が近接させられる。【選択図】図６
2008208744.tif 000002
【特許請求の範囲】
【請求項１】
内燃機関のシリンダブロックに形成されたウォータジャケット内に配設されるウォータジャケット用スペーサにおいて、
前記ウォータジャケットに面するシリンダの外周の形状に対応した内周の形状を有するとともに分割され、互いに近接させて配置したときに前記内周によって形成される領域の寸法が同シリンダの外周の寸法以下となる複数の分割体と、
前記シリンダの外周の形状に対応させて配置された前記複数の分割体の内周によって形成される領域の寸法が前記シリンダの外周の寸法よりも大きくなるように前記分割体同士を離間させた状態に保持するとともに、外力の付与に伴って移動して前記複数の分割体の内周によって形成される領域の寸法が前記シリンダの外周の寸法以下となるように前記分割体同士を近接させる保持具とを備える
ことを特徴とする内燃機関のシリンダブロックのウォータジャケット用スペーサ。
【請求項２】
請求項１に記載のシリンダブロックのウォータジャケット用スペーサにおいて、
前記保持具は、前記複数の分割体の内周によって形成される領域の寸法が前記シリンダの外周の寸法に等しくなるように前記分割体同士を近接させた状態を保持する機構を有する
ことを特徴とするシリンダブロックのウォータジャケット用スペーサ。
【請求項３】
前記分割体同士を離間させた状態に保持する機構と前記分割体同士を近接させた状態に保持する機構とは、前記分割体及び前記保持具のいずれか一方に形成された凸部が、他方に形成された凹部に嵌合することで実現されてなる
請求項２に記載のシリンダブロックのウォータジャケット用スペーサ。
【請求項４】
前記凹部は、前記シリンダの軸方向に沿って延びるとともに前記分割体同士の近接部を跨いで一対となるように形成され、前記一対の凹部は前記外力の付与される側の端部に近い部分ほど互いに近接するように形成され、
前記凸部は、前記一対の凹部にそれぞれ嵌合するように一対で形成され、
前記一対の凸部が前記一対の凹部に嵌合した状態で前記分割体と前記保持具とを前記外力により前記シリンダの軸方向に相対移動させることにより、前記分割体同士を離間させた状態から前記分割体同士を近接させた状態へと変更する
請求項３に記載のシリンダブロックのウォータジャケット用スペーサ。
【請求項５】
請求項１に記載のシリンダブロックのウォータジャケット用スペーサにおいて、
前記保持具は、前記複数の分割体の内周によって形成される領域の寸法が前記シリンダの外周の寸法以下となるように前記複数の分割体同士を引き寄せる機構を有する
ことを特徴とするシリンダブロックのウォータジャケット用スペーサ。
【請求項６】
前記分割体において近接する分割体のそれぞれには、当該スペーサが前記シリンダブロックに装着された際に前記分割体の外周面から前記シリンダの径方向の外側に突出する一対の第１の凸部と、当該スペーサが前記シリンダブロックに装着された際に同第１の凸部よりも前記ウォータジャケットの底部側に位置するとともに、対となる凸部が前記第１の凸部よりも互いに離間するように配置された一対の第２の凸部とが設けられ、前記保持具には、前記分割体同士が離間するように前記第１の凸部及び第２の凸部を保持する２対の第１の凹部と、前記分割体同士が近接するように前記第１の凸部及び第２の凸部を保持する２対の第２の凹部とが設けられ、前記第１の凸部及び第２の凸部が前記第１の凹部に挿入されることで前記分割体同士を離間させた状態に保持し、前記第１の凸部及び第２の凸部が前記第２の凹部に挿入されることで前記分割体同士を近接させた状態に保持してなる
請求項５に記載のシリンダブロックのウォータジャケット用スペーサ。
【請求項７】
前記保持具は、当該保持具を前記分割体同士に組み付けた際に、同分割体よりも前記ウォータジャケットの底部側に突出する部分を有してなる
請求項１〜５のいずれか一項に記載のシリンダブロックのウォータジャケット用スペーサ。
【請求項８】
内燃機関のシリンダブロックに形成されたウォータジャケット内に配設されるウォータジャケット用スペーサのシリンダブロックへの装着方法において、
前記ウォータジャケットに面するシリンダの外周の形状に対応した内周の形状を有するとともに分割され、互いに近接させて配置したときに前記内周によって形成される領域の寸法が同シリンダの外周の寸法以下となる複数の分割体を、前記シリンダの外周の形状に対応させて配置する工程と、
前記シリンダの外周の形状に対応させて配置された前記複数の分割体の内周によって形成される領域の寸法が前記シリンダの外周の寸法よりも大きくなるように前記近接する分割体同士に保持具を組み付ける工程と、
前記ウォータジャケット内に当該スペーサを配設する際に前記保持具に外力を付与することによって同保持具を移動させて前記複数の分割体の内周によって形成される領域の寸法が前記シリンダの外周の寸法以下となるように同分割体同士を近接させる工程とを備える
ことを特徴とするウォータジャケット用スペーサのシリンダブロックへの装着方法。
【請求項９】
前記分割体同士を近接させる工程は、前記ウォータジャケット内に当該スペーサを配設する際に前記保持具を同ウォータジャケットの底部に当接させることによって同保持具を移動させて前記複数の分割体の内周によって形成される領域の寸法が前記シリンダの外周の寸法以下となるように同分割体同士を近接させる工程である
請求項８に記載のウォータジャケット用スペーサのシリンダブロックへの装着方法。
【請求項１０】
前記分割体同士を近接させる工程は、前記ウォータジャケット内に当該スペーサを配設した後、内燃機関のシリンダヘッドをシリンダブロックに組み付ける際に前記保持具を同シリンダヘッドに当接させることによって同保持具を移動させて前記複数の分割体の内周によって形成される領域の寸法が前記シリンダの外周の寸法以下となるように同分割体同士を近接させる工程である
請求項８に記載のウォータジャケット用スペーサのシリンダブロックへの装着方法。
【請求項１１】
前記近接する分割体同士に保持具を組み付ける工程は、前記シリンダの外周の形状に対応させて配置された前記複数の分割体の内周によって形成される領域の寸法が前記シリンダの外周の寸法よりも大きくなるように離間手段を設ける工程と、前記シリンダの外周の形状に対応させて配置された前記複数の分割体同士を引き寄せる寄せ手段を設ける工程とからなり、前記分割体同士を近接させる工程は、前記ウォータジャケット内に当該スペーサを配設した後に前記離間手段を外力により取り外した後、前記寄せ手段によって前記複数の分割体の内周によって形成される領域の寸法が前記シリンダの外周の寸法以下となるように同分割体同士を近接させる工程からなる
請求項８に記載のウォータジャケット用スペーサのシリンダブロックへの装着方法。
【請求項１２】
内燃機関のシリンダブロックに形成されたウォータジャケット内にウォータジャケット用スペーサが配設された内燃機関において、
前記スペーサは、前記ウォータジャケットに面するシリンダの外周の形状に対応した内周の形状を有するとともに分割され、互いに近接させて配置したときに前記内周によって形成される領域の寸法が同シリンダの外周の寸法以下となる複数の分割体と、前記シリンダの外周の形状に対応させて配置された前記複数の分割体の内周によって形成される領域の寸法が前記シリンダの外周の寸法よりも大きくなるように同分割体同士を離間させた状態に保持するとともに、外力の付与に伴って移動して前記複数の分割体の内周によって形成される領域の寸法が前記シリンダの外周の寸法以下となるように同分割体同士を近接させた状態に保持する保持具とから構成される
ことを特徴とする内燃機関。
【発明の詳細な説明】
【技術分野】
【０００１】
本発明は、内燃機関のシリンダブロックに形成されたウォータジャケット内に配設されるウォータジャケット用スペーサ、及び同スペーサのシリンダブロックへの装着方法、及び同ウォータジャケット用スペーサが配設された内燃機関に関する。
【背景技術】
【０００２】
周知のように、内燃機関のシリンダブロックには、シリンダの外周を囲むようにウォータジャケットが形成されており、このウォータジャケット内に冷却水を循環させることによって、それらシリンダの冷却を図るようにしている。また、シリンダブロックでは通常、シリンダの上部に位置する燃焼室近傍において高温となり、燃焼室から遠い下部において比較的低温となる温度勾配が生じる。そこで、従来から、上記ウォータジャケットの性状を適宜変更するなどにより、シリンダの各部位の温度勾配の是正を図ることが検討されている。例えば、ウォータジャケットの下部側に同ウォータジャケットの流路幅を狭くするためのスペーサを配設するようにしたシリンダブロックでは、同ウォータジャケットの下部側で冷却水の流量が制限されるようになる。すなわち、上記シリンダの上部と比較して低温となるシリンダの下部の冷却が抑制されるようになるため、シリンダ各部位の温度勾配についてもその是正が図られるようになる。
【０００３】
しかしながら、このようなスペーサが配設されたシリンダブロックでは、同スペーサとシリンダとの間に隙間が形成された場合に、同隙間に冷却水が流れ込み、ひいては上記スペーサによる冷却の抑制効果が低下するようになる。
【０００４】
そこで、特許文献１に記載のシリンダブロックのウォータジャケット用スペーサにあっては、シリンダ列の外周形状に対応した内周形状を有するとともに２分割された構造を採用している。そして、各分割体の両端部をばねによって連結するとともに、同ばねが収縮した際にそれら分割体の内周によって形成される領域の寸法がシリンダ列の外周の寸法よりも小さくなるような構造を採用している。スペーサとしてのこのような構造により、スペーサをその内周の寸法がシリンダ列の外周の寸法よりも大きくなるように一旦広げた後にシリンダブロックに装着すれば、上記ばねによりスペーサの分割体同士が引き寄せられた際に同スペーサの内周面と上記シリンダ列の外周面とが密着する。このため、上記隙間への冷却水の流れ込みが抑制されるため、上記シリンダ各部位の温度勾配についてもその是正が好適に図られるようになる。
【特許文献１】特開２００５−１２０９４９号公報
【発明の開示】
【発明が解決しようとする課題】
【０００５】
ところで、特許文献１に記載のシリンダブロックのウォータジャケット用スペーサによれば、確かにシリンダの冷却が抑制されるようになるものの、スペーサをその内周の寸法が上記シリンダ列の外周の寸法よりも大きくなるように広げつつ装着する必要がある。このようにスペーサを広げる手段としては、例えば装着治具を用いて広げる方法や手作業により広げる等々の手段があるが、いずれの場合にも装着時における作業性が悪化するという問題があった。
【０００６】
本発明はこうした実情に鑑みてなされたものであり、その目的は、シリンダブロックへ装着する際の作業性を向上させつつ、同シリンダブロックに装着した際にシリンダの冷却を好適に抑制することのできるウォータジャケット用スペーサ、及び同スペーサのシリンダブロックへの装着方法、及び同ウォータジャケット用スペーサが配設された内燃機関を提供することにある。
【課題を解決するための手段】
【０００７】
以下、上記課題を解決するための手段及びその作用効果について記載する。
請求項１に記載の発明は、内燃機関のシリンダブロックに形成されたウォータジャケット内に配設されるウォータジャケット用スペーサにおいて、前記ウォータジャケットに面するシリンダの外周の形状に対応した内周の形状を有するとともに分割され、互いに近接させて配置したときに前記内周によって形成される領域の寸法が同シリンダの外周の寸法以下となる複数の分割体と、前記シリンダの外周の形状に対応させて配置された前記複数の分割体の内周によって形成される領域の寸法が前記シリンダの外周の寸法よりも大きくなるように前記分割体同士を離間させた状態に保持するとともに、外力の付与に伴って移動して前記複数の分割体の内周によって形成される領域の寸法が前記シリンダの外周の寸法以下となるように前記分割体同士を近接させる保持具とを備えることを要旨としている。
【０００８】
同構成によれば、保持具により、シリンダの外周の形状に対応させて配置された複数の分割体の内周によって形成される領域の寸法がシリンダの外周の寸法よりも大きくなるように同分割体同士が離間させられるため、スペーサをウォータジャケット内に容易に配設することができるようになる。また、スペーサをウォータジャケット内に配設した後、外力を付与して保持具を移動させれば、複数の分割体の内周の寸法がシリンダの外周の寸法以下となるように同分割体同士を近接させられるため、同スペーサをシリンダブロックに装着した際にシリンダの冷却を好適に抑制することができるようになる。
【０００９】
請求項２に記載の発明は、請求項１に記載のシリンダブロックのウォータジャケット用スペーサにおいて、前記保持具は、前記複数の分割体の内周によって形成される領域の寸法が前記シリンダの外周の寸法に等しくなるように前記分割体同士を近接させた状態を保持する機構を有することを要旨としている。
【００１０】
同構成によれば、複数の分割体の内周によって形成される領域の寸法がシリンダの外周の寸法以下となるように分割体同士を引き寄せ続けるのではなく、同領域の寸法がシリンダの外周の寸法に等しくなるように分割体同士を近接させた状態を保持するため、スペーサからシリンダに不要な力が働くことを抑制することができる。すなわち、シリンダの変形を抑制することができるようになる。
【００１１】
請求項３に記載の発明は、請求項２に記載のシリンダブロックのウォータジャケット用スペーサにおいて、前記分割体同士を離間させた状態に保持する機構と前記分割体同士を近接させた状態に保持する機構とは、前記分割体及び前記保持具のいずれか一方に形成された凸部が、他方に形成された凹部に嵌合することで実現されてなることを要旨としている。
【００１２】
同構成によれば、凸部が凹部に嵌合することで分割体同士を離間させた状態、あるいは近接させた状態に保持されるため、これらの状態を確実に保持することができるようになる。なお、上記凹部は、上記凸部が嵌合することのできるものであればよく、例えば分割体あるいは保持具を貫通するように形成されたものも含むものとする。
【００１３】
請求項４に記載の発明は、請求項３に記載のシリンダブロックのウォータジャケット用スペーサにおいて、前記凹部は、前記シリンダの軸方向に沿って延びるとともに前記分割体同士の近接部を跨いで一対となるように形成され、前記一対の凹部は前記外力の付与される側の端部に近い部分ほど互いに近接するように形成され、前記凸部は、前記一対の凹部にそれぞれ嵌合するように一対で形成され、前記一対の凸部が前記一対の凹部に嵌合した状態で前記分割体と前記保持具とを前記外力により前記シリンダの軸方向に相対移動させることにより、前記分割体同士を離間させた状態から前記分割体同士を近接させた状態へと変更することを要旨としている。
【００１４】
同構成によれば、凹部は、シリンダの軸方向に沿って延びるとともに分割体の近接部を跨いで一対となるように形成され、一対の凹部は外力の付与される側の端部に近い部分ほど互いに近接するように形成され、凸部は、一対の凹部にそれぞれ嵌合するように一対で形成されている。このため、一対の凸部が一対の凹部に嵌合した状態で分割体と保持具とを外力によりシリンダの軸方向に相対移動させることにより、分割体同士を容易に近接させることができる。
【００１５】
請求項５に記載の発明は、請求項１に記載のシリンダブロックのウォータジャケット用スペーサにおいて、前記保持具は、前記複数の分割体の内周によって形成される領域の寸法が前記シリンダの外周の寸法以下となるように前記複数の分割体同士を引き寄せる機構を有することを要旨としている。
【００１６】
同構成によれば、複数の分割体の内周によって形成される領域の寸法がシリンダの外周の寸法以下となるように複数の分割体同士が引き寄せられるため、分割体同士を離間させた状態に保持することを解除するだけで複数の分割体同士が近接するとともに、これら分割体同士を近接させた状態が保持されるようになる。すなわち、当該スペーサをシリンダブロックに装着する際に、保持具に比較的小さな外力を付与するだけで同分割体同士を近接させた状態に保持することができるようになる。
【００１７】
この場合、具体的には請求項６に記載の発明によるように、前記分割体において近接する分割体のそれぞれには、当該スペーサが前記シリンダブロックに装着された際に前記分割体の外周面から前記シリンダの径方向の外側に突出する一対の第１の凸部と、当該スペーサが前記シリンダブロックに装着された際に同第１の凸部よりも前記ウォータジャケットの底部側に位置するとともに、対となる凸部が前記第１の凸部よりも互いに離間するように配置された一対の第２の凸部とが設けられ、前記保持具には、前記分割体同士が離間するように前記第１の凸部及び第２の凸部を保持する２対の第１の凹部と、前記分割体同士が近接するように前記第１の凸部及び第２の凸部を保持する２対の第２の凹部とが設けられ、前記第１の凸部及び第２の凸部が前記第１の凹部に挿入されることで前記分割体同士を離間させた状態に保持し、前記第１の凸部及び第２の凸部が前記第２の凹部に挿入されることで前記分割体同士を近接させた状態に保持してなるといった構成を採用することができる。
【００１８】
請求項７に記載の発明は、請求項１〜５のいずれか一項に記載のシリンダブロックのウォータジャケット用スペーサにおいて、前記保持具は、当該保持具を前記分割体同士に組み付けた際に、同分割体よりも前記ウォータジャケットの底部側に突出する部分を有してなることを要旨としている。
【００１９】
同構成によれば、ウォータジャケットの底部側に突出した部分がウォータジャケットの底部に当接することによって保持具に外力が付与されるようになるため、スペーサをシリンダブロックに装着する際に自然に保持具が移動するようになる。その結果、当該スペーサをシリンダブロックへ装着する際の作業性が向上するようになる。
【００２０】
請求項８に記載の発明は、内燃機関のシリンダブロックに形成されたウォータジャケット内に配設されるウォータジャケット用スペーサのシリンダブロックへの装着方法において、前記ウォータジャケットに面するシリンダの外周の形状に対応した内周の形状を有するとともに分割され、互いに近接させて配置したときに前記内周によって形成される領域の寸法が同シリンダの外周の寸法以下となる複数の分割体を、前記シリンダの外周の形状に対応させて配置する工程と、前記シリンダの外周の形状に対応させて配置された前記複数の分割体の内周によって形成される領域の寸法が前記シリンダの外周の寸法よりも大きくなるように前記近接する分割体同士に保持具を組み付ける工程と、前記ウォータジャケット内に当該スペーサを配設する際に前記保持具に外力を付与することによって同保持具を移動させて前記複数の分割体の内周によって形成される領域の寸法が前記シリンダの外周の寸法以下となるように同分割体同士を近接させる工程とを備えることを要旨としている。
【００２１】
同スペーサのシリンダブロックへの装着方法によれば、シリンダの外周の形状に対応させて配置された複数の分割体の内周によって形成される領域の寸法がシリンダの外周の寸法よりも大きくなるように同分割体同士を保持具により離間させることにより、同スペーサをウォータジャケット内に容易に配設することができるようになる。すなわち、スペーサをシリンダブロックへ装着する際の作業性が向上するようになる。また、同装着方法によれば、保持具に外力を付与することで複数の分割体の内周の寸法がシリンダの外周の寸法以下となるため同スペーサがシリンダに密着するようになる。
【００２２】
請求項９に記載の発明は、請求項８に記載のウォータジャケット用スペーサのシリンダブロックへの装着方法において、前記分割体同士を近接させる工程は、前記ウォータジャケット内に当該スペーサを配設する際に前記保持具を同ウォータジャケットの底部に当接させることによって同保持具を移動させて前記複数の分割体の内周によって形成される領域の寸法が前記シリンダの外周の寸法以下となるように同分割体同士を近接させる工程であることを要旨としている。
【００２３】
同スペーサのシリンダブロックへの装着方法によれば、保持具をウォータジャケットの底部に当接させることで同保持具を移動させることができるため、スペーサをシリンダブロックに装着する際に保持具が自然に移動するようになる。すなわち、当該スペーサをシリンダブロックへ装着する際の作業性の簡略化を図ることができるようになる。
【００２４】
請求項１０に記載の発明は、請求項８に記載のウォータジャケット用スペーサのシリンダブロックへの装着方法において、前記分割体同士を近接させる工程は、前記ウォータジャケット内に当該スペーサを配設した後、内燃機関のシリンダヘッドをシリンダブロックに組み付ける際に前記保持具を同シリンダヘッドに当接させることによって同保持具を移動させて前記複数の分割体の内周によって形成される領域の寸法が前記シリンダの外周の寸法以下となるように同分割体同士を近接させる工程であることを要旨としている。
【００２５】
同スペーサのシリンダブロックへの装着方法によれば、内燃機関のシリンダヘッドをシリンダブロックに組み付ける際に、保持具をシリンダヘッドに当接させることで同保持具を移動させることができるため、シリンダヘッドをシリンダブロックに装着する際に保持具が自然に移動するようになる。すなわち、このような構成によっても、当該スペーサをシリンダブロックへ装着する際の作業性の簡略化を図ることができるようになる。
【００２６】
請求項１１に記載の発明は、請求項８に記載のウォータジャケット用スペーサのシリンダブロックへの装着方法において、前記近接する分割体同士に保持具を組み付ける工程は、前記シリンダの外周の形状に対応させて配置された前記複数の分割体の内周によって形成される領域の寸法が前記シリンダの外周の寸法よりも大きくなるように離間手段を設ける工程と、前記シリンダの外周の形状に対応させて配置された前記複数の分割体同士を引き寄せる寄せ手段を設ける工程とからなり、前記分割体同士を近接させる工程は、前記ウォータジャケット内に当該スペーサを配設した後に前記離間手段を外力により取り外した後、前記寄せ手段によって前記複数の分割体の内周によって形成される領域の寸法が前記シリンダの外周の寸法以下となるように同分割体同士を近接させる工程からなることを要旨としている。
【００２７】
また、同スペーサのシリンダブロックへの装着方法によれば、保持具から離間手段を取り外すだけで、複数の分割体の内周によって形成される領域の寸法がシリンダの外周の寸法以下となるように分割体同士が近接するようになる。すなわち、当該スペーサをシリンダブロックに装着する際に、保持具に比較的小さな外力を付与するだけで同分割体同士を近接させることができるようになる。
【００２８】
請求項１２に記載の発明は、内燃機関のシリンダブロックに形成されたウォータジャケット内にウォータジャケット用スペーサが配設された内燃機関において、前記スペーサは、前記ウォータジャケットに面するシリンダの外周の形状に対応した内周の形状を有するとともに分割され、互いに近接させて配置したときに前記内周によって形成される領域の寸法が同シリンダの外周の寸法以下となる複数の分割体と、前記シリンダの外周の形状に対応させて配置された前記複数の分割体の内周によって形成される領域の寸法が前記シリンダの外周の寸法よりも大きくなるように同分割体同士を離間させた状態に保持するとともに、外力の付与に伴って移動して前記複数の分割体の内周によって形成される領域の寸法が前記シリンダの外周の寸法以下となるように同分割体同士を近接させた状態に保持する保持具とから構成されることを要旨としている。
【００２９】
同構成によれば、ウォータジャケット内にウォータジャケット用スペーサが配設された内燃機関において、スペーサをウォータジャケット内に容易に配設することができるようになり、ひいては内燃機関の組み立てが容易になる。また、ウォータジャケット内に配設されたスペーサにより、シリンダの冷却を好適に抑制することができるようになる。
【発明を実施するための最良の形態】
【００３０】
［第１の実施形態］
以下、本発明にかかる内燃機関のシリンダブロックのウォータジャケット用スペーサ、及び同ウォータジャケット用スペーサのシリンダブロックへの装着方法をＶ型６気筒エンジンのシリンダブロックに具体化した第１の実施形態について図１〜図９を参照して説明する。なお本実施形態において、内燃機関のシリンダブロックとしては、３つのシリンダが２つのバンクにそれぞれ分割配置されるとともに、ウォータジャケットのアッパデッキ部側が開放されたＶ型６気筒エンジン用のオープンデッキ型シリンダブロックを想定している。
【００３１】
まず、図１（ａ），（ｂ）を参照して、本発明のウォータジャケット用スペーサが適用されるシリンダブロックの全体構造について説明する。
図１（ａ）に同シリンダブロックの片側のバンクの平面構造を、また図１（ｂ）に図１（ａ）のＡ−Ａ線に沿った部分断面構造を示すように、それぞれ隣り合うシリンダ１０はその一部が連結されており、各シリンダ１０の内部には耐摩耗性にすぐれたシリンダライナ１１が設けられている。また、このシリンダ１０の外側にはこれらを冷却する機関冷却水の水路となるウォータジャケット１２が形成されている。このウォータジャケット１２は、シリンダ１０の外周面、すなわちシリンダ外周面１０ａと、同シリンダ外周面１０ａと所定の間隔を有して対向するシリンダブロックの外壁１３と、シリンダ１０及び外壁１３を連結してウォータジャケット１２の底部を形成する底壁１４とにより囲まれる領域として形成されている。
【００３２】
また、このシリンダブロックにおいては、シリンダ１０の頂面と外壁１３の頂面とによりアッパデッキ部１０ｂが形成されている。そして、このシリンダブロックは前述のように、上記ウォータジャケット１２がそのアッパデッキ部１０ｂ側に開放されたオープンデッキ型となっている。
【００３３】
さらに、このシリンダブロックにおいて、上記ウォータジャケット１２の底部側には、上記シリンダ外周面１０ａの形状に対応した内周面の形状を有するとともに、同ウォータジャケット１２の流路幅を狭くするためのスペーサ２０が配設されている。このスペーサ２０の斜視構造を図２に示すように、スペーサ２０は、上記シリンダ１０の配列方向に沿って第１の分割体２１と第２の分割体２２とに２分割された構造を有している。そして、これら分割体２１，２２が隣接する隣接部２４において分割体２１，２２に形成された第１の凹部２１ａ，２２ａ及び第２の凹部２１ｂ，２２ｂに保持具２３の凸部２３ａ，２３ｂがそれぞれ嵌合するとともに、分割体２１，２２に形成された第３の凹部２１ｃ，２２ｃの周縁に保持具２３の第３の凸部２３ｃが押し当てられている。このようにして保持具２３を分割体２１，２２に取り付けることによって分割体２１，２２同士が連結されるとともに、分割体２１，２２同士を近接させた状態に確実に保持されるようになる。また、スペーサ２０は、保持具２３によって上記分割体２１，２２同士を近接させて配置させたときに同分割体２１，２２の内周によって形成される領域の寸法が上記シリンダ外周面１０ａの寸法と等しくなるように形成されているため、スペーサ２０がシリンダ外周面１０ａに密着するようになる。
【００３４】
ところで、この図２に示されるスペーサ２０は、ウォータジャケット１２内に配設される前後で、より詳細には上記保持具２３に外力を付与する前後で上記分割体２１，２２の内周によって形成される領域の寸法が変化する。以下、図３及び図４を参照してこのスペーサ２０の分割体２１，２２の構造及び保持具２３の構造について説明した後、図５〜図７を参照して保持具２３に外力を付与する前のスペーサ２０の形状と外力を付与した後のスペーサ２０の形状とについて説明する。
【００３５】
図３（ａ）に第１の分割体２１及び第２の分割体２２の斜視構造を示すように、これら分割体２１，２２のシリンダ１０の配列方向の両端部には、シリンダ１０の軸方向、すなわち図中上下方向に延伸されるとともに分割体２１，２２同士の近接部を跨いで一対となるように第１の凹部２１ａ，２２ａがそれぞれ形成されている。これら第１の凹部２１ａ，２２ａは、図中上部側ほど互いに近接する態様にて形成されるとともに、図３（ａ）のＢ−Ｂ線に沿った断面構造を図３（ｂ）に示すように、内周側の部分が上記分割体２１，２２同士の近接する方向に延設された断面Ｌ字状に形成されている。また、これら第１の凹部２１ａ，２２ａが最も近接する図中上部側の部分は、図３（ａ）のＣ−Ｃ線に沿った断面構造を図３（ｃ）に示すように、断面矩形状に形成された第１の拡径部２１ｅ，２２ｅが形成されている。また、上記分割体２１，２２のシリンダ１０の配列方向の両端部には、第１の凹部２１ａ，２２ａよりも図中下方に、同第１の凹部２１ａ，２２ａと略同一の形態を有した第２の凹部２１ｂ，２２ｂが形成されている。なお、これら第２の凹部２１ｂ，２２ｂには、上記第１の凹部２１ａ，２２ａの第１の拡径部２１ｅ，２２ｅと反対側の方向に延伸された第２の拡径部２１ｆ，２２ｆが形成されている。さらに上記分割体２１，２２のシリンダ１０の配列方向の両端部には、上記第２の凹部２１ｂ，２２ｂの近傍に分割体２１，２２同士の近接部を跨いで一対となるように矩形状の第３の凹部２１ｃ，２２ｃ及び第４の凹部２１ｄ，２２ｄがそれぞれ図中上下方向に並ぶ態様にて形成されている。なお、上記凹部２１ａ〜２１ｄ，２２ａ〜２２ｄは、実際には分割体２１，２２をそれぞれ貫通する孔として形成されている。
【００３６】
続いて図４に保持具２３の斜視構造を示すように、この保持具２３の中央部には、保持具２３の中心線ｍ１を跨いで一対となるように第１の貫通孔２３ｄが形成されおり、この第１の貫通孔２３ｄの内部に上記中心線ｍ１に向けて延伸される態様にて第１の凸部２３ａが形成されている。ちなみに、この第１の凸部２３ａは、図４（ａ）のＤ−Ｄ線に沿った断面構造を図４（ｂ）に示すように、上記保持具２３の内周側に向けて延設された断面Ｌ字状に形成されている。また、この保持具２３には、第１の貫通孔２３ｄよりも図中下方に保持具２３の中心線ｍ１を跨いで一対となるように第２の貫通孔２３ｅが形成されおり、この第２の貫通孔２３ｅの内部に上記中心線ｍ１と反対に向けて延伸される態様にて第２の凸部２３ｂが形成されている。ちなみに、この第２の凸部２３ｂは、上記第１の凸部２３ａと同様にして、上記スペーサ２０の外周側に向けて延設された断面Ｌ字状に形成されている。さらに、この保持具２３には、上記第２の貫通孔２３ｅの近傍に上記中心線ｍ１に沿った方向に延伸された第３の貫通孔２３ｆが形成されている。そして、この第３の貫通孔２３ｆの内部に、図中下方から図中上方に延伸される態様にて突出部２３ｇが形成されている。この突出部２３ｇの先端部には、図４（ａ）のＥ−Ｅ線に沿った断面構造を図４（ｃ）に示すように、保持具２３の内周方向に突出した第３の凸部２３ｃが形成されている。そして、この保持具２３及び上記分割体２１，２２から構成されるスペーサ２０が図５（ａ），（ｂ）に示される工程を経て組み立てられることとなる。
【００３７】
すなわち、図５（ａ）に示すようにまず、第１の分割体２１と第２の分割体２２とを二点鎖線で図示した上記シリンダ外周面１０ａの形状に対応させて配置する。そして、上記保持具２３の第１の凸部２３ａを分割体２１，２２の第１の拡径部２１ｅ，２２ｅにそれぞれ挿入するとともに、同保持具２３の第２の凸部２３ｂを各分割体２１，２２の第２の拡径部２１ｆ，２２ｆにそれぞれ挿入する。その後、保持具２３を分割体２１，２２に対して図中下方に移動させると、保持具２３の第３の凸部２３ｃが各分割体２１，２２の第４の凹部２１ｄ，２２ｄの周縁に押し当てられて保持具２３が各分割体２１，２２に固定される。こうして保持具２３が分割体２１，２２に固定されると、図５（ｂ）に示すような構造、すなわち上記分割体２１，２２の内周によって形成される領域の寸法がシリンダ外周面１０ａの寸法よりも大きくなるように上記分割体２１，２２同士を離間させた構造を有するスペーサ２０が組み立てられることとなる。なおこのとき、保持具２３の上部側の部分が、上記分割体２１，２２の上端よりも突出するようになっている。このように上記第３の凸部２３ｃが第４の凹部２１ｄ，２２ｄの周縁に押し当てられる態様にて嵌合することで、スペーサ２０が分割体２１，２２同士を離間させた状態に確実に保持されるようになる。すなわち、この第３の凸部２３ｃと第４の凹部２１ｄ，２２ｄとにより分割体２１，２２同士を離間させた状態を保持する機構が構成されている。ここで、上述のように、このスペーサ２０は、保持具２３に外力を付与する前後で上記分割体２１，２２の内周によって形成される領域の寸法が変化する。以下、組み立てられたスペーサ２０において、その保持具２３に外力を加えたときの同スペーサ２０の内周によって形成される領域の寸法の変化について図６，図７を参照して説明する。
【００３８】
図６（ａ）に保持具２３に外力を付与する前のスペーサ２０の斜視構造を、図６（ｂ）に同スペーサ２０の正面構造を示すように、このスペーサ２０では、分割体２１，２２同士が、これらの両端部において隙間ΔＳ１だけ離間した態様にて保持されている。なおこのとき、上記分割体２１，２２の内周によって形成される領域の寸法がシリンダ外周面１０ａの寸法よりも大きい状態であることは上述した。そして、この状態から分割体２１，２２の移動を規制しながら保持具２３に上記シリンダ１０の軸方向に沿った図中下方に向けた外力Ｆを付与すると、保持具２３が分割体２１，２２に対して相対移動し、保持具２３の第３の凸部２３ｃが分割体２１，２２の第４の凹部２１ｄ，２２ｄから外れた後、保持具２３の第１の凸部２３ａが分割体２１，２２の第１の凹部２１ａ，２２ａの周縁に沿って図中下方に移動する。またこのとき、保持具２３の第２の凸部２３ｂも分割体２１，２２の第２の凹部２１ｂ，２２ｂの周縁に沿って図中下方に移動することとなる。このようにして上記保持具２３が分割体２１，２２に対して図中下方、すなわちシリンダ１０の軸方向に相対移動すると、第１の凹部２１ａ，２２ａ及び第２の凹部２１ｂ，２２ｂが図中下部側ほど互いに離間するように形成されているため、分割体２１，２２が互いに近接する方向に相対移動することとなる。その後、上記保持具２３の第３の凸部２３ｃが分割体２１，２２の第３の凹部２１ｃ，２２ｃの周縁に押し当てられる態様にて嵌合すると同保持具２３が分割体２１，２２に固定される。このとき、図７（ａ）に保持具２３に外力Ｆを付与した後のスペーサ２０の斜視構造を、図７（ｂ）に同スペーサ２０の正面構造を示すように、分割体２１，２２同士が、これらの両端部において隙間ΔＳ１より小さい隙間ΔＳ２だけ離間した態様にて保持されることとなる。なおこのとき、分割体２１，２２同士は、上記分割体２１，２２の内周によって形成される領域の寸法がシリンダ外周面１０ａの寸法と等しくなる態様にて保持されることとなる。すなわち、第３の凸部２３ｃと第３の凹部２１ｃ，２２ｃとにより分割体２１，２２同士を近接させた状態を保持する機構が構成されている。このように第１の凸部２３ａ及び第２の凸部２３ｂが第１の凹部２１ａ，２２ａ及び第２の凹部２１ｂ，２２ｂにそれぞれ嵌合した状態で分割体２１，２２と保持具２３とを外力Ｆにより上記シリンダ１０の軸方向に相対移動させることにより、分割体２１，２２同士を容易に近接させることができるようになる。また、第３の凸部２３ｃが第３の凹部２１ｃ，２２ｃの周縁に押し当てられる態様にて嵌合することで、分割体２１，２２同士を近接させた状態を確実に保持することができるようになる。そして、このような構造を有するスペーサ２０が、図８（ａ）〜（ｃ）、図９（ａ）〜（ｃ）に示す工程を経てシリンダブロックに装着されることとなる。
【００３９】
この工程ではまず、図８（ａ）にシリンダブロックの平面構造を、図８（ｂ）に図８（ａ）のＦ−Ｆ線に沿った断面構造を、図８（ｃ）にシリンダブロックの斜視構造をそれぞれ示すように、スペーサ２０が図６（ａ），（ｂ）に示された状態が保持されたままウォータジャケット１２内に配設される。すなわち、保持具２３により上記分割体２１，２２の内周によって形成される領域の寸法がシリンダ外周面１０ａの寸法よりも大きくなるように上記分割体２１，２２同士を離間させた状態が保持されたまま同スペーサ２０がウォータジャケット１２内に配設されるため、同スペーサ２０を同ジャケット１２内に容易に配設することができるようになる。なお、スペーサ２０は、Ｖ型に形成されたシリンダブロックの両バンクにそれぞれ配設される。そしてこのようにスペーサ２０をウォータジャケット１２内に配設した後、図９（ｃ）に示されるように、保持具２３において上記分割体２１，２２の上端よりも上側に突出した部分に上記シリンダ１０の軸方向の外力Ｆを付与すると、図９（ａ）〜（ｃ）に示されるようにしてスペーサ２０がシリンダブロックに装着されることとなる。
【００４０】
すなわち、図９（ａ）にシリンダブロックの平面構造を、図９（ｂ）に図９（ａ）のＧ−Ｇ線に沿った断面構造を、図９（ｃ）にシリンダブロックの斜視構造をそれぞれ示すように、保持具２３に上記シリンダ１０の軸方向の外力Ｆが付与されると、スペーサ２０の形態が上記図７（ａ），（ｂ）に示される形態に変化する。すなわち、上記分割体２１，２２の内周によって形成される領域の寸法がシリンダ外周面１０ａの寸法と等しくなるように上記分割体２１，２２同士が近接させられるため、スペーサ２０をシリンダブロックに装着した際にシリンダ１０の下部の冷却を好適に抑制することができるようになる。また、上記分割体２１，２２の内周によって形成される領域の寸法がシリンダ外周面１０ａの寸法と等しくなるように上記分割体２１，２２同士を近接させた状態が保持されるため、スペーサ２０からシリンダ１０に不要な力が働くことを抑制することができる。すなわち、シリンダ１０の変形を抑制することができるようになる。
【００４１】
以上説明したように、本実施形態にかかる内燃機関のシリンダブロックのウォータジャケット用スペーサ、及び同ウォータジャケット用スペーサのシリンダブロックへの装着方法、及び同ウォータジャケット用スペーサが配設された内燃機関によれば、以下のような効果が得られるようになる。
【００４２】
（１）保持具２３により、シリンダ１０の外周の形状に対応させて配置された上記分割体２１，２２の内周によって形成される領域の寸法がシリンダ外周面１０ａの寸法よりも大きくなるように分割体２１，２２同士を離間させるようにした。このため、スペーサ２０をウォータジャケット１２内に容易に配設することができるようになり、ひいてはスペーサ２０をシリンダブロックに装着する際の作業性が向上するようになる。また、スペーサ２０をウォータジャケット１２内に配設した後、外力Ｆを付与して保持具２３を移動させることで上記分割体２１，２２の内周によって形成される寸法がシリンダ外周面１０ａの寸法と等しくなるように分割体２１，２２同士を近接させるようにした。このため、スペーサ２０をシリンダブロックに装着した際にシリンダ１０の冷却が好適に抑制されるようになる。
【００４３】
（２）保持具２３により、上記分割体２１，２２の内周によって形成される領域の寸法がシリンダ外周面１０ａの寸法と等しくなるように上記分割体２１，２２同士を近接させた状態が保持されるようにした。このため、スペーサ２０からシリンダ１０に不要な力が働くことを抑制することができ、ひいてはシリンダ１０の変形を抑制することができるようになる。
【００４４】
（３）分割体２１，２２同士を離間させた状態を保持する機構を、突出部２３ｇの第３の凸部２３ｃが第４の凹部２１ｄ，２２ｄの周縁に押し当てられる態様にて嵌合することで実現するようにした。また、分割体２１，２２同士を近接させた状態を保持する機構を、突出部２３ｇの第３の凸部２３ｃが第３の凹部２１ｃ，２２ｃの周縁に押し当てられる態様にて嵌合することで実現するようにした。このため、これらの状態を確実に保持することができるようになる。
【００４５】
（４）分割体２１，２２の第１の凹部２１ａ，２２ａ及び第２の凹部２１ｂ，２２ｂを、シリンダ１０の軸方向に沿って延伸させるとともに分割体２１，２２の近接部を跨いで一対となるように形成した。また、これら第１の凹部２１ａ，２２ａ及び第２の凹部２１ｂ，２２ｂを、図６（ａ）において図中上方側、すなわち外力Ｆの付与される側の端部に近い部分ほど互いに近接するように形成した。さらに、保持具２３の第１の凸部２３ａ及び第２の凸部２３ｂを、これら第１の凹部２１ａ，２２ａ及び第２の凹部２１ｂ，２２ｂにそれぞれ嵌合するように一対でそれぞれ形成するようにした。このため、第１の凸部２３ａ及び第２の凸部２３ｂが第１の凹部２１ａ，２２ａ及び第２の凹部２１ｂ，２２ｂにそれぞれ嵌合した状態で分割体２１，２２と保持具２３とを外力Ｆによりシリンダ１０の軸方向に相対移動させることにより、分割体２１，２２同士を容易に近接させることができるようになる。
【００４６】
（５）スペーサ２０のシリンダブロックへの装着方法として、シリンダ外周面１０ａに対応させて配置された上記分割体２１，２２の内周によって形成される領域の寸法がシリンダの外周の寸法よりも大きくなるように上記分割体２１，２２同士を保持具２３により離間させるようにした。このため、スペーサ２０をウォータジャケット１２内に容易に配設することができるようになり、ひいてはスペーサ２０をシリンダブロックへ装着する際の作業性が向上するようになる。
【００４７】
（６）このようなスペーサ２０を用いることで、ウォータジャケット１２内にスペーサ２０が配設された内燃機関において、スペーサ２０をウォータジャケット１２内に容易に配設することができるようになり、ひいては内燃機関の組み立てが容易になる。また、ウォータジャケット１２内に配設されたスペーサ２０により、シリンダ１０の冷却を好適に抑制することができるようなる。
【００４８】
なお、この第１の実施形態にかかる内燃機関のシリンダブロックのウォータジャケット用スペーサは、例えば以下の変形例のごとく、これを適宜変更して実施することもできる。
【００４９】
（第１変形例）
図１０〜図１３に、上記第１の実施形態にかかるウォータジャケット用スペーサの第１変形例を示す。
【００５０】
この変形例では、図１０に分割体１２１，１２２の斜視構造を示すように、これら分割体１２１，１２２のシリンダ配列方向の両端部に、図中上下方向（シリンダの軸方向）に延伸させられるとともに分割体１２１，１２２同士の近接部を跨いで一対となるように凹部１２１ａ，１２２ａがそれぞれ形成されている。これら凹部１２１ａ，１２２ａは、図中上部側ほど互いに近接する態様にて形成される。そして、分割体１２１，１２２の上面には、開口部１２１ｂ，１２２ｂが形成されている。また、この凹部１２１ａ，１２２ａには、図中下方の部分において互いに近接するように延伸された第１の収容部１２１ｃ，１２２ｃが形成されている。また、この凹部１２１ａ，１２２ａには、その中間部に図面上方に延伸された第２の収容部１２１ｄ，１２２ｄが形成されている。なお、この第２の収容部１２１ｄ，１２２ｄは、上記第１の収容部１２１ｃ，１２２ｃよりも上記分割体１２１，１２２の近接部に近い部分に形成されている。より具体的には、第２の収容部１２１ｄ，１２２ｄの同近接部側の端面は、第１の収容部１２１ｃ，１２２ｃの同近接部側の端面１２１ｅ，１２２ｅよりも同近接部寄りに形成されている。
【００５１】
また、図１１（ａ）に保持具１２３の正面構造を、図１１（ｂ）に同図（ａ）のＨ−Ｈ線に沿った断面構造を示すように、保持具１２３には、同保持具１２３の背面（分割体１２１，１２２と対向する面）に突出した形状を有するとともに、上記分割体１２１，１２２の凹部１２１ａ，１２２ａに挿入される一対の凸部１２３ａが形成されている。そして、この保持具１２３が、図１２（ａ）〜（ｃ）に示すようにして上記分割体１２１，１２２に取り付けられることとなる。
【００５２】
すなわち、上記保持具１２３の凸部１２３ａを、上記分割体１２１，１２２の凹部１２１ａ，１２２ａの開口部１２１ｂ，１２２ｂから挿入した後、同凹部１２１ａ，１２２ａに沿って上記第２の収容部１２１ｄ，１２２ｄに収容させる。そうすると、図１２（ｂ）のＩ−Ｉ線に沿った断面構造を図１２（ｃ）に示すように、上記保持具１２３の本体と上記凸部１２３ａとの間で分割体１２１，１２２を狭持する態様にて保持具１２３が分割体１２１，１２２に固定される。このため、スペーサ１２０が、上記分割体１２１，１２２の内周によって形成される領域の寸法がシリンダ外周面１０ａの寸法よりも大きくなるように上記分割体１２１，１２２同士を離間させた状態に保持されることとなる。したがって、このようなスペーサ１２０によれば、同スペーサ１２０をウォータジャケット内に容易に配設することができるようなる。
【００５３】
そしてこの状態から、保持具１２３に外力Ｆを付与して、同保持具１２３の凸部１２３ａを分割体１２１，１２２の第２の収容部１２１ｄ，１２２ｄから外した後、同凹部１２１ａ，１２２ａに沿って上記第１の収容部１２１ｃ，１２２ｃに収容させる。そうすると、図１３（ａ）〜（ｃ）に示すように、スペーサ１２０が上記分割体１２１，１２２同士を近接させた状態となる。なお、このスペーサ１２０では、上記分割体１２１，１２２同士を近接させた状態としたときに上記分割体１２１，１２２の内周によって形成される寸法が上記シリンダ外周面１０ａの寸法よりも小さくなるような構造を有している。そしてスペーサ１２０がこのような構造を有することで、同スペーサ１２０をシリンダブロックに装着した際に、スペーサ１２０がシリンダ１０から反力を受けるようになり、この反力によって上記凸部１２３ａが第１の収容部１２１ｃ，１２２ｃの端面１２１ｅ，１２２ｅに当接した状態で固定されるようになる。すなわち、スペーサ１２０が分割体１２１，１２２に固定されて、スペーサ１２０が上記分割体１２１，１２２同士を近接させた状態に保持されるようになるため、同スペーサ１２０をシリンダブロックに装着した際にシリンダ１０の冷却が好適に抑制されるようなる。
【００５４】
以上のように、スペーサとしてこのような構成によっても、上記第１の実施形態に準じた効果が得られるようになる。なお、ウォータジャケット用スペーサとして、スペーサ１２０のように、同保持具１２３の凸部１２３ａが上記分割体１２１，１２２の内周によって形成される領域から突出するような構成を採用してもよい。
【００５５】
（第２変形例）
図１４〜図１８に、上記第１の実施形態にかかるウォータジャケット用スペーサの第２変形例を示す。
【００５６】
この変形例では、図１４に分割体２２１，２２２の斜視構造を示すように、これら分割体２２１，２２２のシリンダ配列方向の両端部に、図中上方に突出するとともに分割体２２１，２２２同士の近接部を跨いで一対となるように第１の凸部２２１ａ及び第２の凸部２２２ａが形成されている。図１５（ａ）に第１の凸部２２１ａの拡大正面構造を示すように、第１の凸部２２１ａは略矩形状をなしている。そして、この第１の凸部２２１ａの上記近接部側の端面２２１ｂには突出部２２１ｃが形成されるとともに、同端面２２１ｂと反対側の端面２２１ｄには上記近接部に向かって凹設された２つの溝２２１ｅ，２２１ｆが上記シリンダ１０の軸方向に沿って並んで形成されている。また、上記第２の凸部２２２ａの正面構造を図１５（ｂ）に示すように、この第２の凸部２２２ａは、上記近接部に近い側の端面と反対側の端面２２２ｂが傾斜面となった台形状をなしている。そして、この端面２２２ｂには、上記第１の凸部２２１ａの溝２２１ｅ，２２１ｆに対応した位置に溝２２２ｅ，２２２ｆが形成されている。また、この第２の凸部２２２ａの上記近接部側の端面２２２ｃには、上記突出部２２１ｃを途中まで挿入した状態と完全に挿入した状態とのいずれかに保持可能な挿入穴２２２ｄが形成されている。
【００５７】
また、スペーサ２２０の保持具２２３の断面斜視構造を図１６に示すように、この保持具２２３はその外形が台形状をなすとともに、その内部が図中下方に開口する態様にて中空になっている。そして、この保持具２２３の図中左右方向の両側壁の内部には、内部に突出する態様にて突出部２２３ａ，２２３ｂが形成されている。そして、この保持具２２３が、以下のようにして上記分割体２２１，２２２に取り付けられることとなる。
【００５８】
すなわち、図１７（ａ），（ｂ）に示すように、まず、第１の分割体２２１の突出部２２１ｃを第２の分割体２２２の挿入穴２２２ｄの途中まで挿入する。その後、上記第１の凸部２２１ａ及び第２の凸部２２２ａの上部側から上記保持具２２３を挿入し、同保持具２２３の突出部２２３ａ，２２３ｂを上記溝２２１ｅ，２２２ｅに嵌合させる。そうすると、スペーサ２２０が、上記分割体２２１，２２２の内周によって形成される領域の寸法がシリンダ外周面１０ａの寸法よりも大きくなるようにこれら上記分割体２２１，２２２同士を離間させた状態に保持されることとなる。したがって、このようなスペーサ２２０によれば、同スペーサ２２０をウォータジャケット内に容易に配設することができるようになる。
【００５９】
そしてこの状態から、保持具２２３に外力Ｆを付与して、保持具２２３の突出部２２３ａ，２２３ｂを上記溝２２１ｅ，２２２ｅから下方へ外した後、上記溝２２１ｆ，２２２ｆに嵌合させる。このとき、突出部２２１ｃが挿入穴２２２ｄに完全に挿入される。そうすると、図１８（ａ），（ｂ）に示されるように、上記分割体２２１，２２２の内周の寸法が上記シリンダ外周面１０ａの寸法と等しくなるようにこれらスペーサ２２０が上記分割体２２１，２２２同士を近接させた状態に保持されることとなる。したがって、このようなスペーサ２２０によれば、同スペーサ２２０をシリンダブロックに装着した際にシリンダ１０の冷却が好適に抑制されるようになる。
【００６０】
以上のように、スペーサとしてこのような構成によっても、上記第１の実施形態に準じた効果が得られるようになる。
（第３変形例）
図１９，図２０に、上記第１の実施形態にかかるウォータジャケット用スペーサの第３変形例を示す。
【００６１】
上記第１の実施形態では、分割体２１，２２に凹部２１ａ等を、保持具２３に凸部２３ａ等をそれぞれ形成するようにしたが、この変形例では、分割体に凸部を、保持具に凹部をそれぞれ形成するようにした。
【００６２】
保持具３２３に外力を付与する前のスペーサ３２０の斜視構造を図１９（ａ），（ｂ）に示すように、この変形例では、同スペーサ３２０の分割体３２１，３２２の外周面に、外側に突出する一対の凸部３２１ａ，３２２ａが設けられている。また、同スペーサ３２０の保持具３２３には、図中上下方向に延びるとともに、同保持具３２３の中心線ｍ２を跨いで一対となるように凹部３２３ａ，３２３ｂが形成されている。ちなみにこれら凹部３２３ａ，３２３ｂには、保持具３２３の底面から保持具３２３の中央部にかけて弧状に延伸された摺動部３２３ｃ，３２３ｄと、同摺動部３２３ｃ，３２３ｄの端部に連通して上記シリンダ１０の軸方向に沿って延伸された第１の収容部３２３ｅ，３２３ｆとが形成されている。さらに、この凹部３２３ａ，３２３ｂには、同摺動部３２３ｃ，３２３ｄの中間部に連通して上記シリンダ１０の軸方向に沿って延伸された第２の収容部３２３ｇ，３２３ｈが形成されている。そして、このスペーサ３２０において、分割体３２１，３２２の凸部３２１ａ，３２２ａを保持具３２３の底面から凹部３２３ａ，３２３ｂ内に挿入した後、上記摺動部３２３ｃ，３２３ｄに沿って第２の収容部３２３ｇ，３２３ｈに収容する。そうすると、スペーサ３２０が、上記分割体３２１，３２２の内周によって形成される領域の寸法がシリンダ外周面１０ａの寸法よりも大きくなるように上記分割体３２１，３２２同士を離間させた状態に保持されることとなる。したがって、このようなスペーサ３２０によれば、同スペーサ３２０をウォータジャケット内に容易に配設することができるようになる。
【００６３】
そして、この状態から、保持具３２３に外力Ｆを付与して、分割体３２１，３２２の凸部３２１ａ，３２２ａを保持具３２３の第２の収容部３２３ｇ，３２３ｈから外した後、摺動部３２３ｃ，３２３ｄに沿って第１の収容部３２３ｅ，３２３ｆに収容させる。そうすると、図２０（ａ），（ｂ）に示すように、スペーサ３２０が、上記分割体３２１，３２２の内周によって形成される領域の寸法が上記シリンダ外周面１０ａの寸法と等しくなるように上記分割体３２１，３２２同士を近接させた状態に保持されることとなる。したがって、このようなスペーサ３２０によれば、同スペーサ３２０をシリンダブロックに装着した際にシリンダ１０の冷却が好適に抑制されるようになる。
【００６４】
以上のように、スペーサとしてこのような構成によっても、上記第１の実施形態に準じた効果が得られるようになる。
［第２の実施形態］
続いて、本発明にかかる内燃機関のシリンダブロックのウォータジャケット用スペーサを具体化した第２の実施形態について図２１，図２２を参照して説明する。なお、この第２の実施形態もウォータジャケット用スペーサとしての基本構造は先の図２に示した構造であり、ここでは先の図６に対応する図として図２１を、先の図７に対応する図として図２２を示している。また、この図２１，２２において、先の図６，７に示した要素と同一の要素にはそれぞれ同一の符号を付すことにより重複する説明を割愛し、以下では、両者の相違点を中心に説明する。
【００６５】
上記第１の実施形態にかかるスペーサ２０では、同スペーサ２０をシリンダブロックに装着する際に保持具２３に外力を付与する必要があるため、スペーサ２０をシリンダブロックに装着する上でこの保持具２３に外力を付与する工程が必須の工程となっている。本実施形態では、スペーサをシリンダブロックに装着する際に自然に保持具を移動させる、換言すれば上記保持具に外力を付与する工程を他の工程と併せて行うようにすることで、スペーサをシリンダブロックへ装着する際の作業性を向上させるようにしている。
【００６６】
図２１（ａ）に保持具２３に外力を付与する前のスペーサ４２０の斜視構造を、図２１（ｂ）に同スペーサ４２０の正面構造を示すように、このスペーサ４２０は上記第１の実施形態のスペーサ２０をシリンダ１０の軸方向について上下逆さまに配置するようにしたものである。すなわち、同スペーサ４２０をシリンダブロックに配設した際に、保持具２３が同分割体２１，２２によって形成される領域よりもウォータジャケット１２の底部側に突出するようになるため、スペーサ４２０をウォータジャケット１２内の所定位置まで移動させる際に、この突出した部分がウォータジャケット１２の底部に当接するようになる。そして、同突出した部分がウォータジャケット１２の底部に当接した後、さらにスペーサ４２０をウォータジャケット１２の底部側に向けて移動させると、シリンダブロックから保持具２３に外力が付与されるようになる。これにより、スペーサ４２０をシリンダブロックに装着する際に、この外力により自然に保持具２３が移動するようになるため、同スペーサ４２０をシリンダブロックに装着する際の作業性が向上するようになる。そして、スペーサ４２０をウォータジャケット１２内の所定位置まで移動させると、図２２（ａ）に保持具２３に外力を付与した後のスペーサ４２０の斜視構造を、図２２（ｂ）に同スペーサの正面構造を示すように、スペーサ４２０が上記分割体２１，２２同士を近接させた状態に保持されるようになる。
【００６７】
以上説明したように、本実施形態の内燃機関のシリンダブロックのウォータジャケット用スペーサによれば、先の第１の実施形態による前記（１）〜（６）の効果に加え、さらに以下の効果が得られるようになる。
【００６８】
（７）保持具２３を分割体２１，２２同士に組み付けた際に、保持具２３が同分割体２１，２２よりもウォータジャケット１２の底部側に突出するようにした。これにより、この突出した部分がウォータジャケット１２の底部に当接することによって保持具２３に外力が付与されるようになるため、スペーサ４２０をシリンダブロックに装着する際に自然に保持具２３が移動するようになる。その結果、スペーサ４２０をシリンダブロックへ装着する際の作業性の向上、及び簡略化を図ることができるようになる。
［第３の実施形態］
続いて、本発明にかかる内燃機関のシリンダブロックのウォータジャケット用スペーサを具体化した第３の実施形態について図２３，図２４を参照して説明する。なお、この第３の実施形態もウォータジャケット用スペーサとしての基本構造は先の図２に示した構造であり、ここでは先の図６に対応する図として図２３を、図７に対応する図として図２４を示している。また、この図２３，図２４において、先の図６，図７に示した要素と同一の要素にはそれぞれ同一の符号を付すことにより重複する説明を割愛し、以下では、両者の相違点を中心に説明する。
【００６９】
上記第１の実施形態にかかるスペーサ２０では、同スペーサ２０をシリンダブロックに装着する際に保持具２３に外力を付与する工程が必要であることは前述したが、このときに大きな外力が必要になると、同工程が煩雑化するおそれがある。そこで、本実施形態では、スペーサをシリンダブロックに装着する際の同保持具に付与すべき外力を小さくすることによって、スペーサをシリンダブロックに装着する際の作業性を向上させるようにしている。
【００７０】
図２３（ａ）に保持具５２５に外力を付与する前のスペーサ５２０の斜視構造を、図２３（ｂ）に同スペーサ５２０の正面構造を示すように、このスペーサ５２０では、第１の分割体５２１の端面と第２の分割体５２２の端面とによって離間部材５２３が狭持されており、これら分割体５２１，５２２同士はこの離間部材５２３の分だけ離間している。また、第１の分割体５２１及び第２の分割体５２２には、外側に向けて突出する一対の突出部５２１ａ，５２２ａがそれぞれ形成されており、この突出部５２１ａ，５２２ａのそれぞれの側面に沿わせる態様にてクリップ状の弾性部材５２４が装着されている。そして、この弾性部材５２４によって分割体５２１，５２２同士が引き寄せられた状態が維持されたまま、上記離間部材５２３によって上記分割体５２１，５２２同士を離間させた状態に保持されている。このとき、上記分割体５２１，５２２の内周によって形成される領域の寸法がシリンダ外周面１０ａの寸法よりも大きくなっている。なお、これら離間部材５２３及び弾性部材５２４によって保持具５２５が構成されている。そして、この状態から離間部材５２３に外力を付与してスペーサ５２０から同離間部材５２３を取り除くと、図２４（ａ）に保持具５２５に外力を付与した後のスペーサ５２０の斜視構造を、図２４（ｂ）に同スペーサ５２０の正面構造を示すように、弾性部材５２４によって分割体５２１，５２２同士が互いに引き寄せられる。これにより、分割体５２１，５２２の内周によって形成される領域の寸法がシリンダ外周面１０ａの寸法以下となる。したがって、上記離間部材５２３を取り除くだけの比較的小さな力を保持具５２５に作用させるだけで分割体５２１，５２２同士が近接するとともに、上記スペーサ５２０が上記分割体５２１，５２２同士を近接させた状態に保持されるようになる。
【００７１】
以上説明したように、本実施形態の内燃機関のシリンダブロックのウォータジャケット用スペーサによれば、先の第１の実施形態による前記（１），（５），（６）の効果に加え、さらに以下の効果が得られるようになる。
【００７２】
（８）保持具５２５に、分割体５２１，５２２の内周によって形成される領域の寸法がシリンダ外周面１０ａの寸法以下となるように同分割体同士を引き寄せる弾性部材５２４を設けるようにした。これにより、分割体５２１，５２２の内周によって形成される領域の寸法がシリンダ外周面１０ａの寸法以下となるように分割体５２１，５２２同士が引き寄せられるため、分割体５２１，５２２同士を離間させた状態に保持することを解除するだけで分割体５２１，５２２同士が近接するとともに、分割体５２１，５２２同士を近接させた状態に保持されるようになる。すなわち、スペーサ５２０をシリンダブロックに装着する際に保持具５２５に比較的小さな外力を付与するだけで、スペーサ５２０が上記分割体５２１，５２２同士を近接させた状態に保持されるようになる。
【００７３】
（第１変形例）
図２５，図２６に、上記第３の実施形態にかかるウォータジャケット用スペーサの第１変形例を示す。
【００７４】
なおこの変形例にかかるウォータジャケット用スペーサは、先の第３の実施形態にかかるスペーサの構造を基本構造として、上記第２の実施形態にかかるスペーサのようにスペーサをシリンダブロックに装着する際に自然に保持具を移動させることで、スペーサをシリンダブロックへ装着する際の作業性を向上させるようにしている。
【００７５】
図２５（ａ），（ｂ）に示すように、この変形例のスペーサ６２０では、第１の分割体６２１の端面と第２の分割体６２２の端面とによって離間部材６２３の上部に設けられた拡径部６２３ａが狭持されている。この拡径部６２３ａは、離間部材６２３の他の部分よりも、第１の分割体６２１及び第２の分割体６２２の上記端面方向の寸法が大きく形成されている。ちなみにこの離間部材６２３は、上記弾性部材５２４とともに保持具６２４を構成しており、同離間部材６２３によってスペーサ６２０が上記分割体６２１，６２２同士を離間させた状態に保持されている。そして、分割体６２１，６２２には、スペーサ６２０が上記分割体６２１，６２２同士を近接させた状態となったときに、同拡径部６２３ａを収容するための空間を形成する一対の凹部６２１ａ，６２２ａがそれぞれ形成されている。この一対の凹部６２１ａ，６２２ａによって形成される空間は、拡径部６２３ａよりも若干大きい相似形となっている。
【００７６】
一方、離間部材６２３には、分割体６２１，６２２よりも図中下方に突出した受圧部６２３ｂが設けられている。そして、このような保持具６２４によれば、上記第２の実施形態にかかるスペーサ４２０と同様に、このスペーサ６２０をシリンダブロックに配設した際に、上記受圧部６２３ｂが上記分割体６２１，６２２よりもウォータジャケット１２の底部側に突出するようになる。このため、スペーサ６２０をウォータジャケット１２内の所定位置まで移動させる際に、この突出した部分がウォータジャケット１２の底部に当接するようになる。そして、この突出した部分がウォータジャケット１２の底部に当接した後、さらにスペーサ６２０をウォータジャケット１２の底部側に向けて移動させると、シリンダブロックから離間部材６２３に外力が付与されるようになる。このため、スペーサ６２０をシリンダブロックに装着する際に、この外力により自然に離間部材６２３が移動するようになるため、同スペーサ６２０をシリンダブロックに装着する際の作業性が向上するようになる。そして、スペーサ６２０をウォータジャケット１２内の所定位置まで移動させると、図２６（ａ），（ｂ）に示すように、上記離間部材６２３の拡径部６２３ａが上記凹部６２１ａ，６２２ａによって形成された収容部に収容されて、上記弾性部材５２４により上記スペーサ６２０が上記分割体６２１，６２２同士を近接させた状態に保持されることとなる。
【００７７】
（第２変形例）
図２７，図２８に、上記第３の実施形態にかかるウォータジャケット用スペーサの第２変形例を示す。
【００７８】
同２７（ａ），（ｂ）に示されるように、この変形例では、スペーサ７２０の分割体７２１，７２２の外周面に、一対の第１の凸部７２１ａ，７２２ａと、スペーサ７２０がシリンダブロックに装着された際にこの第１の凸部７２１ａ，７２２ａよりもウォータジャケット１２の底部側に位置することとなる一対の第２の凸部７２１ｂ，７２２ｂとが設けられている。ちなみに、この第２の凸部７２１ｂ，７２２ｂは、これら対となる凸部が上記第１の凸部７２１ａ，７２２ａよりも離間するように配置されている。
【００７９】
また、スペーサ７２０の保持具７２３は、図中下方ほど広がるように形成された台形状をなしており、凹部７２３ｃ〜７２３ｆが形成された傾斜部７２３ａ，７２３ｂを有している。そして、このスペーサ７２０では、第２の凸部７２１ｂ，７２２ｂを第４の凹部７２３ｆに、第１の凸部７２１ａ，７２２ａが第３の凹部７２３ｅに嵌合されている。このため、スペーサ７２０が、上記分割体７２１，７２２の内周によって形成される領域の寸法がシリンダ外周面１０ａの寸法よりも大きくなるように上記分割体７２１，７２２同士を離間させた状態に保持される。したがって、このようなスペーサ７２０によれば、同スペーサ７２０をウォータジャケット内に容易に配設することができるようなる。なお、保持具７２３は、比較的弾性の高い金属等により形成される。
【００８０】
この状態から、保持具７２３に外力を付与して、上記第１の凸部７２１ａ，７２２ａ及び第２の凸部７２１ｂ，７２２ｂを上記第３の凹部７２３ｅ及び第４の凹部７２３ｆから外した後、上記第１の凹部７２３ｃ及び第２の凹部７２３ｄに嵌合する。そうすると、図２８（ａ），（ｂ）に示すように、上記分割体７２１，７２２の内周の寸法が上記シリンダ外周面１０ａの寸法と等しくなるようにこれらスペーサ７２０が上記分割体７２１，７２２同士を近接させた状態に保持されることとなる。したがって、このようなスペーサ７２０によれば、同スペーサ７２０をシリンダブロックに装着した際にシリンダ１０の冷却が好適に抑制されるようになる。
［他の実施形態］
なお、上記各実施形態、並びにその変形例は、これらを適宜変更した以下の形態にて実施することもできる。
【００８１】
・上記実施形態では、分割体５２１，５２２，６２１，６２２同士を引き寄せる寄せ手段として、クリップ形状の弾性部材５２４を用いたが、コイル形状の弾性部材等を用いてもよい。
【００８２】
・上記実施形態では、スペーサを２つの分割体に分割したが、スペーサを３つ以上の分割体に分割し、これら分割体の隣接部に保持具を設けてもよい。
・スペーサがシリンダの比較的上部まで取り付けられる場合には、ウォータジャケット内にスペーサを配設した際にシリンダブロックのアッパデッキよりも上側に突出する部分を保治具が有するようにする。そして、内燃機関のシリンダヘッドをシリンダブロックに組み付ける際に保持具を同シリンダヘッドに当接させることによって同保持具を移動させて、複数の分割体の内周によって形成される領域の寸法がシリンダの外周の寸法以下となるように同分割体同士を近接させるようにしてもよい。
【００８３】
・上記実施形態では、本発明にかかる内燃機関のシリンダブロックのウォータジャケット用スペーサ、及び同ウォータジャケット用スペーサのシリンダブロックへの装着方法を、Ｖ型６気筒エンジンのシリンダブロックに適用したが、その他、例えばＶ型８気筒エンジンや直列４気筒エンジン等についても本発明は同様に適用することができる。
【図面の簡単な説明】
【００８４】
【図１】（ａ）第１の実施形態にかかるウォータジャケット用スペーサが適用されるシリンダブロックについてその片側のバンクの平面構造を示す平面図。（ｂ）同平面図のＡ−Ａ線に沿った部分断面図。
【図２】同実施形態のウォータジャケット用スペーサの斜視構造を示す斜視図。
【図３】（ａ）同第１の実施形態のウォータジャケット用スペーサについてその分割体の斜視構造を示す斜視図。（ｂ）同斜視図のＢ−Ｂ線に沿った部分断面図。（ｃ）同斜視図のＣ−Ｃ線に沿った部分断面図。
【図４】（ａ）同第１の実施形態のウォータジャケット用スペーサについてその保持具の斜視構造を示す斜視図。（ｂ）同斜視図のＤ−Ｄ線に沿った断面図。（ｃ）同斜視図のＥ−Ｅ線に沿った断面図。
【図５】（ａ），（ｂ）同第１の実施形態のウォータジャケット用スペーサの組み立て方法についてその手順を示す斜視図。
【図６】（ａ）同第１の実施形態のウォータジャケット用スペーサについてその保持具に外力を付与する前のスペーサの斜視構造を示す斜視図。（ｂ）同スペーサについてその保持具に外力を付与する前のスペーサの正面構造を示す正面図。
【図７】（ａ）同第１の実施形態のウォータジャケット用スペーサについてその保持具に外力を付与した後のスペーサの斜視構造を示す斜視図。（ｂ）同スペーサについてその保持具に外力を付与した後のスペーサの正面構造を示す正面図。
【図８】（ａ）同第１の実施形態のウォータジャケット用スペーサが適用されるシリンダブロックについてその片側のバンクの部分平面構造を示す平面図。（ｂ）同平面図のＦ−Ｆ線に沿った部分断面図。（ｃ）同シリンダブロックについてその片側のバンクの部分斜視構造を示す斜視図。
【図９】（ａ）同第１の実施形態のウォータジャケット用スペーサが適用されるシリンダブロックについてその片側のバンクの部分平面構造を示す平面図。（ｂ）同平面図のＧ−Ｇ線に沿った部分断面図。（ｃ）同シリンダブロックについてその片側のバンクの部分斜視構造を示す斜視図。
【図１０】第１の実施形態のウォータジャケット用スペーサの第１変形例についてその分割体の斜視構造を示す斜視図。
【図１１】（ａ）同第１の実施形態のウォータジャケット用スペーサの第１変形例についてその保持具の正面構造を示す正面図。（ｂ）同平面図のＨ−Ｈ線に沿った断面図。
【図１２】（ａ）同第１の実施形態のウォータジャケット用スペーサの第１変形例についてその保持具に外力を付与する前の斜視構造を示す斜視図。（ｂ）同スペーサについてその保持具に外力を付与する前の正面構造を示す正面図。（ｃ）同正面図のＩ−Ｉ線に沿った断面図。
【図１３】（ａ）同第１の実施形態のウォータジャケット用スペーサの第１変形例についてその保持具に外力を付与した後の斜視構造を示す斜視図。（ｂ）同スペーサについてその保持具に外力を付与した後の正面構造を示す正面図。（ｃ）同正面図のＪ−Ｊ線に沿った断面図。
【図１４】第１の実施形態のウォータジャケット用スペーサの第２変形例についてその分割体の斜視構造を示す斜視図。
【図１５】（ａ）同第１の実施形態のウォータジャケット用スペーサの第２変形例についてその第１の分割体の第１の凸部の正面構造を示す正面図。（ｂ）同第１の実施形態のウォータジャケット用スペーサの第２変形例についてその第２の分割体の第２の凸部の正面構造を示す正面図。
【図１６】同第１の実施形態のウォータジャケット用スペーサの第２変形例についてその保持具の部分断面斜視構造を示す斜視図。
【図１７】（ａ）同第１の実施形態のウォータジャケット用スペーサの第２変形例についてその保持具に外力を付与する前の斜視構造を示す斜視図。（ｂ）同スペーサについてその保持具に外力を付与する前の同保持具近傍の部分断面構造を示す断面図。
【図１８】（ａ）同第１の実施形態のウォータジャケット用スペーサの第２変形例についてその保持具に外力を付与した後の斜視構造を示す斜視図。（ｂ）同スペーサについてその保持具に外力を付与した後の同保持具近傍の部分断面構造を示す断面図。
【図１９】（ａ）第１の実施形態のウォータジャケット用スペーサの第３変形例についてその保持具に外力を付与する前の斜視構造を示す斜視図。（ｂ）同スペーサについてその保持具に外力を付与する前の正面構造を示す正面図。
【図２０】（ａ）同第１の実施形態のウォータジャケット用スペーサの第３変形例についてその保持具に外力を付与した後の斜視構造を示す斜視図。（ｂ）同スペーサについてその保持具に外力を付与した後の正面構造を示す正面図。
【図２１】（ａ）第２の実施形態にかかるウォータジャケット用スペーサについてその保持具に外力を付与する前のスペーサの斜視構造を示す斜視図。（ｂ）同スペーサについてその保持具に外力を付与する前のスペーサの正面構造を示す正面図。
【図２２】（ａ）同第２の実施形態のウォータジャケット用スペーサについてその保持具に外力を付与する前のスペーサの斜視構造を示す斜視図。（ｂ）同スペーサについてその保持具に外力を付与する前のスペーサの正面構造を示す正面図。
【図２３】（ａ）第３の実施形態のウォータジャケット用スペーサについてその保持具に外力を付与する前の斜視構造を示す斜視図。（ｂ）同スペーサについてその保持具に外力を付与する前の正面構造を示す正面図。
【図２４】（ａ）同第３の実施形態のウォータジャケット用スペーサについてその保持具に外力を付与した後の斜視構造を示す斜視図。（ｂ）同スペーサについてその保持具に外力を付与した後の正面構造を示す正面図。
【図２５】（ａ）同第３の実施形態のウォータジャケット用スペーサの第１変形例についてその保持具に外力を付与する前の斜視構造を示す斜視図。（ｂ）同スペーサについてその保持具に外力を付与する前の正面構造を示す正面図。
【図２６】（ａ）同第３の実施形態のウォータジャケット用スペーサの第１変形例についてその保持具に外力を付与した後の斜視構造を示す斜視図。（ｂ）同スペーサについてその保持具に外力を付与した後の正面構造を示す正面図。
【図２７】（ａ）同第３の実施形態のウォータジャケット用スペーサの第２変形例についてその保持具に外力を付与する前の斜視構造を示す斜視図。（ｂ）同スペーサについてその保持具に外力を付与する前の正面構造を示す正面図。
【図２８】（ａ）同第３の実施形態のウォータジャケット用スペーサの第２変形例についてその保持具に外力を付与した後の斜視構造を示す斜視図。（ｂ）同スペーサについてその保持具に外力を付与した後の正面構造を示す正面図。
【符号の説明】
【００８５】
１０…シリンダ、１０ａ…シリンダ外周面、１０ｂ…アッパデッキ部、１１…シリンダライナ、１２…ウォータジャケット、１３…外壁、１４…底壁、２０，１２０，２２０，３２０，４２０，５２０，６２０，７２０…スペーサ、２１，１２１，２２１，３２１，５２１，６２１，７２１…第１の分割体、２１ａ，２２ａ…第１の凹部、２１ｂ，２２ｂ…第２の凹部、２１ｃ，２２ｃ…第３の凹部、２１ｄ，２２ｄ…第４の凹部、２１ｅ，２２ｅ…第１の拡径部、２１ｆ，２２ｆ…第２の拡径部、２２，１２２，２２２，３２２，５２２，６２２，７２２…第２の分割体、２３，１２３，２２３，３２３，５２５，６２４，７２３…保持具、２３ａ…第１の凸部、２３ｂ…第２の凸部、２３ｃ…第３の凸部、２３ｄ…第１の貫通孔、２３ｅ…第２の貫通孔、２３ｆ…第３の貫通孔、２３ｇ…突出部、２４…隣接部、１２１ａ，１２２ａ…凹部、１２１ｂ，１２２ｂ…開口部、１２１ｃ，１２２ｃ…第１の収容部、１２１ｄ，１２２ｄ…第２の収容部、１２１ｅ，１２２ｅ…端面、１２３ａ…凸部、２２１ａ…第１の凸部、２２１ｂ，２２２ｂ…端面、２２１ｃ…突出部、２２１ｄ…端面、２２１ｅ，２２１ｆ，２２２ｅ，２２２ｆ…溝、２２２ａ…第２の凸部、２２２ｃ…端面、２２２ｄ…挿入穴、２２３ａ，２２３ｂ…突出部、３２１ａ，３２２ａ…凸部３２３ａ，３２３ｂ…凹部、３２３ｃ，３２３ｄ…摺動部、３２３ｅ，３２３ｆ…第１の収容部、３２３ｇ，３２３ｈ…第２の収容部、５２１ａ，５２２ａ…突出部、５２３…離間部材、５２４…弾性部材、６２１ａ，６２２ａ…凹部、６２３…離間部材、６２３ａ…拡径部、６２３ｂ…受圧部、７２１ａ，７２２ａ…第１の凸部、７２１ｂ，７２２ｂ…第２の凸部、７２３ａ，７２３ｂ…傾斜部、７２３ｃ…第１の凹部、７２３ｄ…第２の凹部、７２３ｅ…第３の凹部、７２３ｆ…第４の凹部。
【図１】
2008208744.tif 000003
【図２】
2008208744.tif 000004
【図３】
2008208744.tif 000005
【図４】
2008208744.tif 000006
【図５】
2008208744.tif 000007
【図６】
2008208744.tif 000008
【図７】
2008208744.tif 000009
【図８】
2008208744.tif 000010
【図９】
2008208744.tif 000011
【図１０】
2008208744.tif 000012
【図１１】
2008208744.tif 000013
【図１２】
2008208744.tif 000014
【図１３】
2008208744.tif 000015
【図１４】
2008208744.tif 000016
【図１５】
2008208744.tif 000017
【図１６】
2008208744.tif 000018
【図１７】
2008208744.tif 000019
【図１８】
2008208744.tif 000020
【図１９】
2008208744.tif 000021
【図２０】
2008208744.tif 000022
【図２１】
2008208744.tif 000023
【図２２】
2008208744.tif 000024
【図２３】
2008208744.tif 000025
【図２４】
2008208744.tif 000026
【図２５】
2008208744.tif 000027
【図２６】
2008208744.tif 000028
【図２７】
2008208744.tif 000029
【図２８】
2008208744.tif 000030